(57)【特許請求の範囲】
【請求項１】
被写体を撮像して映像信号を出力する撮像素子と、
前記映像信号に所定の映像処理を施し映像データを出力する映像処理部と、
映像データを記録する記録部と、
他の複数の撮像装置と通信する通信部と、
各部を制御する制御部と、を備え、
前記制御部は、前記記録部の空き容量に余裕がなくなると判断した場合に、前記他の複数の撮像装置の記録部の空き容量を確認し、前記他の複数の撮像装置の記録部の現在までの平均記録量、および、現在の空き容量と、空き容量に余裕がなくなると判断した前記記録部の現在までの平均記録量とに基づいて、前記他の複数の撮像装置の記録部の容量が同タイミングで満杯になるように自装置の映像データを記録するための記録予約領域の容量を算出し、前記他の撮像装置の記録部の空き容量の内、算出した前記記録予約領域の容量分を前記記録予約領域として設定し、前記記録予約領域を設定した撮像装置に対して映像データを送信することを特徴とする撮像装置。
【請求項２】
前記制御部は、算出した前記記録予約領域の容量が大きい順に前記他の複数の撮像装置に対して優先順位を設定し、前記他の複数の撮像装置の中で最も優先順位の高い撮像装置の記録部の空き容量の内、算出した前記記録予約領域の容量分を前記記録予約領域として設定し、前記最も優先順位の高い撮像装置の前記記録予約領域が埋まると、次に優先順位の高い前記他の撮像装置に対して前記記録予約領域を設定し、当該次に優先順位の高い前記他の撮像装置に対して映像データを送信することを特徴とする請求項１に記載の撮像装置。
【請求項３】
前記制御部は、前記映像処理部または前記通信部を介してイベント情報を受信すると、前記記録部の空き容量に余裕があるかどうかを確認し、前記記録部の空き容量に余裕があると判断した場合、前記映像データを前記記録部に記録することを特徴とする請求項１または請求項２に記載の撮像装置。
【請求項４】
前記制御部は、前記他の撮像装置の記録部の空き容量の内、算出した前記記録予約領域の容量分を前記記録予約領域として設定後、全ての前記他の撮像装置の記録部の容量が埋まる日時を算出し、当該日時情報を前記通信部を介して外部装置に対して送信することを特徴とする請求項１乃至３のいずれかに記載の撮像装置。
【請求項５】
ネットワークを介して、記録部を備える複数の撮像装置の記録部の記録状態を監視し、記録部の空き容量に余裕がない前記撮像装置があると、他の複数の撮像装置の記録部の空き容量を確認し、前記他の複数の撮像装置の記録部の現在までの平均記録量、および、現在の空き容量と、前記記録部の空き容量に余裕がない撮像装置の記録部の現在までの平均記録量とに基づいて、前記他の複数の撮像装置の記録部の容量が同タイミングで満杯になるように前記記録部の空き容量に余裕がない撮像装置の映像データを記録するための記録予約領域を算出し、前記他の撮像装置の記録部の空き容量の内、算出した前記記録予約領域の容量分を前記記録予約領域として設定し、前記記録部の空き容量に余裕がない撮像装置が映像データを前記記録予約領域を設定した撮像装置に対して送信させるように制御することを特徴とする管理装置。
【請求項６】
算出した前記記録予約領域の容量が大きい順に前記他の複数の撮像装置に対して優先順位を設定し、前記他の複数の撮像装置の中で最も優先順位の高い撮像装置の記録部の空き容量の内、算出した前記記録予約領域の容量分を前記記録予約領域として設定し、前記最も優先順位の高い撮像装置の前記記録予約領域が埋まると、次に優先順位の高い前記他の撮像装置に対して前記記録予約領域を設定し、前記記録部の空き容量に余裕がない撮像装置が次に優先順位の高い前記他の撮像装置に対して映像データを送信させるように制御することを特徴とする請求項５に記載の管理装置。
【請求項７】
複数の前記撮像装置を、所定の基準に基づいてグループ分けし、前記撮像装置の記録部の空き容量に余裕がなくなった場合に、同一グループ内の他の撮像装置に対して前記記録予約領域を設定することを特徴とする請求項５または請求項６に記載の管理装置。
【請求項８】
複数の前記撮像装置の現在までの平均記録量が均等になるようにグループ分けをすることを特徴とする請求項７に記載の管理装置。
【請求項９】
被写体を撮像して映像信号を出力する撮像素子と、前記映像信号に所定の映像処理を施し映像データを出力する映像処理部と、映像データを記録する記録部と、外部の機器と通信する通信部と、各部を制御する制御部と、を備える複数の撮像装置と、
前記複数の撮像装置の各記録部の空き容量を監視し、制御する管理装置と、がネットワークを介して接続され、
前記管理装置は、前記複数の撮像装置の記録部の記録状態を監視し、記録部の空き容量に余裕がない前記撮像装置があると、他の複数の撮像装置の記録部の空き容量を確認し、前記他の複数の撮像装置の記録部の現在までの平均記録量、および、現在の空き容量と、前記記録部の空き容量に余裕がない撮像装置の記録部の現在までの平均記録量とに基づいて、前記他の複数の撮像装置の記録部の容量が同タイミングで満杯になるように前記記録部の空き容量に余裕がない撮像装置の映像データを記録するための記録予約領域を算出し、前記他の撮像装置の記録部の空き容量の内、算出した前記記録予約領域の容量分を前記記録予約領域として設定し、前記記録部の空き容量に余裕がない撮像装置が映像データを前記記録予約領域を設定した撮像装置に対して送信させるように制御することを特徴とする映像監視システム。
【請求項１０】
前記管理装置は、算出した前記記録予約領域の容量が大きい順に前記他の複数の撮像装置に対して優先順位を設定し、前記他の複数の撮像装置の中で最も優先順位の高い撮像装置の記録部の空き容量の内、算出した前記記録予約領域の容量分を前記記録予約領域として設定し、前記最も優先順位の高い撮像装置の前記記録予約領域が埋まると、次に優先順位の高い前記他の撮像装置に対して前記記録予約領域を設定し、前記記録部の空き容量に余裕がない撮像装置が次に優先順位の高い前記他の撮像装置に対して映像データを送信させるように制御することを特徴とする請求項９に記載の映像監視システム。
【請求項１１】
前記管理装置は、前記複数の撮像装置を、所定の基準に基づいてグループ分けし、前記撮像装置の記録部の空き容量に余裕がなくなった場合に、同一グループ内の他の撮像装置に対して前記記録予約領域を設定することを特徴とする請求項９または請求項１０に記載の映像監視システム。
【請求項１２】
前記管理装置は、前記複数の撮像装置の現在までの平均記録量が均等になるようにグループ分けをすることを特徴とする請求項１１に記載の映像監視システム。
【請求項１３】
前記撮像装置は、列車の各車両に備えられ、
前記管理装置は、列車のいずれかの車両に備えられ、
前記管理装置は、車両ごとに前記複数の撮像装置をグループ分けすることを特徴とする請求項１１に記載の映像監視システム。
【発明の詳細な説明】
【技術分野】
【０００１】
本発明は、自装置内に映像データを記録する撮像装置であって、他の撮像装置へネットワークを介して映像データを送信する撮像装置、これを管理する管理装置、および、映像監視システムに関する。
【背景技術】
【０００２】
近年、鉄道車両において、撮像装置、ネットワークスイッチおよび映像表示装置を備え、車両内の状況を映像監視するとともに、撮像装置内部に搭載する記録媒体に映像データを記録する映像監視システムの運用が検討されている。
【先行技術文献】
【特許文献】
【０００３】
【特許文献１】特開２０１０−０２８７５４号公報
【発明の概要】
【発明が解決しようとする課題】
【０００４】
従来の撮像装置においては、内部に搭載する記録媒体に映像データを記録する際に、搭載できる記録媒体の記録容量が少ないため、超過分の映像データが記録できない、または、上書き保存により映像データの保存時間が短くなってしまうという問題がある。
【０００５】
本発明は、以上の課題に鑑み、複数の撮像装置の間または撮像装置−記録装置間で効率的に映像データを記録することができる撮像装置、これを管理する管理装置、および、映像監視システムを提供することを目的とする。
【課題を解決するための手段】
【０００６】
上記課題を解決するために、本発明の撮像装置は、被写体を撮像して映像信号を出力する撮像素子と、前記映像信号に所定の映像処理を施し映像データを出力する映像処理部と、映像データを記録する記録部と、他の複数の撮像装置と通信する通信部と、各部を制御する制御部と、を備え、前記制御部は、前記記録部の空き容量に余裕がなくなると判断した場合に、前記他の複数の撮像装置の記録部の空き容量を確認し、前記他の複数の撮像装置の記録部の現在までの平均記録量、および、現在の空き容量と、空き容量に余裕がなくなると判断した前記記録部の現在までの平均記録量とに基づいて、前記他の複数の撮像装置の記録部の容量が同タイミングで満杯になるように自装置の映像データを記録するための記録予約領域の容量を算出し、前記他の撮像装置の記録部の空き容量の内、算出した前記記録予約領域の容量分を前記記録予約領域として設定し、前記記録予約領域を設定した撮像装置に対して映像データを送信することを特徴とする。
【０００７】
上記課題を解決するために、上記撮像装置は、さらに、前記制御部が、算出した前記記録予約領域の容量が大きい順に前記他の複数の撮像装置に対して優先順位を設定し、前記他の複数の撮像装置の中で最も優先順位の高い撮像装置の記録部の空き容量の内、算出した前記記録予約領域の容量分を前記記録予約領域として設定し、前記最も優先順位の高い撮像装置の前記記録予約領域が埋まると、次に優先順位の高い前記他の撮像装置に対して前記記録予約領域を設定し、当該次に優先順位の高い前記他の撮像装置に対して映像データを送信することを特徴とする。
【０００８】
上記課題を解決するために、上記撮像装置は、さらに、前記制御部が、前記映像処理部または前記通信部を介してイベント情報を受信すると、前記記録部の空き容量に余裕があるかどうかを確認し、前記記録部の空き容量に余裕があると判断した場合、前記映像データを前記記録部に記録することを特徴とする。
【０００９】
上記課題を解決するために、上記撮像装置は、さらに、前記制御部が、前記他の撮像装置の記録部の空き容量の内、算出した前記記録予約領域の容量分を前記記録予約領域として設定後、全ての前記他の撮像装置の記録部の容量が埋まる日時を算出し、当該日時情報を前記通信部を介して外部装置に対して送信することを特徴とする。
【００１０】
上記課題を解決するために、本発明の管理装置は、ネットワークを介して、記録部を備える複数の撮像装置の記録部の記録状態を監視し、記録部の空き容量に余裕がない前記撮像装置があると、他の複数の撮像装置の記録部の空き容量を確認し、前記他の複数の撮像装置の記録部の現在までの平均記録量、および、現在の空き容量と、前記記録部の空き容量に余裕がない撮像装置の記録部の現在までの平均記録量とに基づいて、前記他の複数の撮像装置の記録部の容量が同タイミングで満杯になるように前記記録部の空き容量に余裕がない撮像装置の映像データを記録するための記録予約領域を算出し、前記他の撮像装置の記録部の空き容量の内、算出した前記記録予約領域の容量分を前記記録予約領域として設定し、前記記録部の空き容量に余裕がない撮像装置が映像データを前記記録予約領域を設定した撮像装置に対して送信させるように制御することを特徴とする。
【００１１】
上記課題を解決するために、上記管理装置は、さらに、算出した前記記録予約領域の容量が大きい順に前記他の複数の撮像装置に対して優先順位を設定し、前記他の複数の撮像装置の中で最も優先順位の高い撮像装置の記録部の空き容量の内、算出した前記記録予約領域の容量分を前記記録予約領域として設定し、前記最も優先順位の高い撮像装置の前記記録予約領域が埋まると、次に優先順位の高い前記他の撮像装置に対して前記記録予約領域を設定し、前記記録部の空き容量に余裕がない撮像装置が次に優先順位の高い前記他の撮像装置に対して映像データを送信させるように制御することを特徴とする。
【００１２】
上記課題を解決するために、上記管理装置は、さらに、複数の前記撮像装置を、所定の基準に基づいてグループ分けし、前記撮像装置の記録部の空き容量に余裕がなくなった場合に、同一グループ内の他の撮像装置に対して前記記録予約領域を設定することを特徴とする。
【００１３】
上記課題を解決するために、上記管理装置は、さらに、複数の前記撮像装置の現在までの平均記録量が均等になるようにグループ分けをすることを特徴とする。
【００１４】
上記課題を解決するために、本発明の映像監視システムは、被写体を撮像して映像信号を出力する撮像素子と、前記映像信号に所定の映像処理を施し映像データを出力する映像処理部と、映像データを記録する記録部と、外部の機器と通信する通信部と、各部を制御する制御部と、を備える複数の撮像装置と、前記複数の撮像装置の各記録部の空き容量を監視し、制御する管理装置と、がネットワークを介して接続され、前記管理装置は、前記複数の撮像装置の記録部の記録状態を監視し、記録部の空き容量に余裕がない前記撮像装置があると、他の複数の撮像装置の記録部の空き容量を確認し、前記他の複数の撮像装置の記録部の現在までの平均記録量、および、現在の空き容量と、前記記録部の空き容量に余裕がない撮像装置の記録部の現在までの平均記録量とに基づいて、前記他の複数の撮像装置の記録部の容量が同タイミングで満杯になるように前記記録部の空き容量に余裕がない撮像装置の映像データを記録するための記録予約領域を算出し、前記他の撮像装置の記録部の空き容量の内、算出した前記記録予約領域の容量分を前記記録予約領域として設定し、前記記録部の空き容量に余裕がない撮像装置が映像データを前記記録予約領域を設定した撮像装置に対して送信させるように制御することを特徴とする。
【００１５】
上記課題を解決するために、本発明の映像監視システムは、前記管理装置が、算出した前記記録予約領域の容量が大きい順に前記他の複数の撮像装置に対して優先順位を設定し、前記他の複数の撮像装置の中で最も優先順位の高い撮像装置の記録部の空き容量の内、算出した前記記録予約領域の容量分を前記記録予約領域として設定し、前記最も優先順位の高い撮像装置の前記記録予約領域が埋まると、次に優先順位の高い前記他の撮像装置に対して前記記録予約領域を設定し、前記記録部の空き容量に余裕がない撮像装置が次に優先順位の高い前記他の撮像装置に対して映像データを送信させるように制御することを特徴とする。
また前記管理装置は、前記複数の撮像装置を、所定の基準に基づいてグループ分けし、前記撮像装置の記録部の空き容量に余裕がなくなった場合に、同一グループ内の他の撮像装置に対して前記記録予約領域を設定することも特徴とする。
さらに前記管理装置は、前記複数の撮像装置の現在までの平均記録量が均等になるようにグループ分けをすることも特徴とする。
さらに前記撮像装置は、列車の各車両に備えられ、前記管理装置は、列車のいずれかの車両に備えられ、前記管理装置は、車両ごとに前記複数の撮像装置をグループ分けすることも特徴とする。
【発明の効果】
【００１６】
複数の撮像装置の記録状況に基づいて、他の撮像装置または記録装置と記録領域を共有して映像データを記録することで、効率的に映像データを記録することができる。
【図面の簡単な説明】
【００１７】
【図１】本発明の一実施形態である撮像装置が配置された鉄道車両内の構成と各機器のアドレステーブルを示す説明図。
【図２】本発明の一実施形態である撮像装置の構成の一例を示す説明図。
【図３】本発明の一実施形態である撮像装置の配置と視野の一例を説明する説明図。
【図４】本発明の一実施形態である各撮像装置の各記録映像容量を示す説明図。
【図５】本発明の一実施形態である撮像装置と記録装置が配置された鉄道車両内の構成を示す説明図。
【図６】本発明の一実施形態である撮像装置における一車両単位での映像記録の状態を示す説明図。
【図７】本発明の一実施形態である撮像装置における装置単位での映像記録の状態を示す説明図。
【図８】本発明の一実施形態である撮像装置の記録予約した様子とその関係式を示す説明図。
【図９】本発明の一実施形態である撮像装置の記録領域共有中の記録処理の遷移過程の一例を示す説明図。
【図１０】本発明の一実施形態である各撮像装置の記録領域共有中の記録処理の遷移過程の他の一例を示す説明図。
【図１１】本発明の一実施形態である撮像装置の記録領域共有記録動作の一例を示す信号図。
【図１２】本発明の一実施形態である撮像装置の記録領域共有記録動作および送信先撮像装置の切り替え処理の一例を示す信号図。
【図１３】本発明の一実施形態である撮像装置の撮像装置のグルーピング処理の一例を示す説明図。
【発明を実施するための形態】
【００１８】
以下、本発明の実施の形態について図面を参照して詳細に説明する。  
（第１実施形態）
本発明の第１実施形態は、鉄道車両等に設置される撮像装置、ネットワークスイッチ、映像表示装置および管理装置等を備える映像監視システムであって、車両内の状況を映像監視するとともに映像データを撮像装置内部に搭載する記録媒体に記録し、また、各撮像装置内部に搭載する少ない記録媒体容量を効率的に使用して、映像データを記録するものである。
【００１９】
図１は、本発明の一実施形態である複数の撮像装置が配置された鉄道車両内の構成と各機器のアドレステーブルを示す説明図である。本発明の一実施形態である撮像装置は、例えば鉄道車両内に複数台設けられ、無線通信または有線通信によりＬＡＮやＷＡＮ等のネットワークで接続されることにより映像監視システムを構成して、効率的に映像監視システムが運用される。
【００２０】
すなわち、図１の（ａ）において、連結された第１車両Ｔ１乃至第４車両Ｔ４である鉄道車両に対して、第１車両Ｔ１において、撮像装置１−１〜撮像装置１−４と、表示装置Ｈ１と、管理装置Ｋと、管理装置Ｋに接続された車両装置９と、スイッチ部Ｗ１と、を備え、撮像装置１−１〜撮像装置１−４、管理装置Ｋおよび表示装置Ｈ１はそれぞれスイッチ部Ｗ１と接続されている。
【００２１】
これらの第１車両Ｔ１の撮像装置１−１〜撮像装置１−４、表示装置Ｈ１、管理装置Ｋは、例えば１９２．１６８．１．０／２４のネットワークグループにて一意にＩＰアドレスが割り付けられている。
【００２２】
同様に、第２車両Ｔ２において、撮像装置２−１〜撮像装置２−４と、スイッチ部Ｗ２とを備え、撮像装置２−１〜撮像装置２−４はそれぞれスイッチ部Ｗ２と接続されている。これらの第２車両Ｔ２の撮像装置２−１〜撮像装置２−４は、同様に、例えば１９２．１６８．１．０／２４のネットワークグループにてＩＰ一意にアドレスが割り付けられている。
【００２３】
同様に、第３車両Ｔ３において、撮像装置３−１〜撮像装置３−４と、スイッチ部Ｗ３とを備え、撮像装置３−１〜撮像装置３−４はそれぞれスイッチ部Ｗ３と接続されている。これらの第３車両Ｔ３の撮像装置３−１〜撮像装置３−４は、同様に、例えば１９２．１６８．１．０／２４のネットワークグループにて一意にＩＰアドレスが割り付けられている。
【００２４】
同様に、第４車両Ｔ４において、撮像装置４−１〜撮像装置４−４と、表示装置Ｈ２と、スイッチ部Ｗ４とを備え、撮像装置４−１〜撮像装置４−４および表示装置Ｈ２はそれぞれスイッチ部Ｗ４と接続されている。これらの第４車両Ｔ４の撮像装置４−１〜撮像装置４−４と表示装置Ｈ２は、同様に、例えば１９２．１６８．１．０／２４のネットワークグループにて一意にＩＰアドレスが割り付けられている。
【００２５】
なお、各車両間は、それぞれのスイッチ部で隣接車両と接続されている。また、管理装置Ｋは、一編成分（第１車両Ｔ１、第２車両Ｔ２、第３車両Ｔ３、第４車両Ｔ４）の全機器のＩＰアドレスを事前にまたは都度取得・更新して、図１の下半分に示す様なデータベースとして管理している。また、管理装置Ｋは、車両内の各機器に対して、状態を監視したり様々な指示を出したりするものとする。また、乗務員の操作による表示装置Ｈ１またはＨ２からの信号に基づいて、管理装置Ｋは車両内の各機器に対して指示を出すものとする。
【００２６】
車両装置９は、鉄道車両の外部、例えば駅に設けられた通信部や管理センターと無線または有線で、車両や運行に関する様々な情報を通信する。ここで様々な情報とは、例えば、車両編成情報やダイヤに関する情報、駅ごとにどちら側のドアが開くのかといった情報等が挙げられる。
【００２７】
乗務員が表示装置を用いて任意車両の撮像装置のライブ映像を確認する場合は、「車両番号」や「撮像装置番号/名称」などを指定して選択する。すると、表示装置Ｈ１、Ｈ２は、指定された情報から管理装置が管理しているデータベースを用いて対象撮像装置のＩＰアドレスを照会し、そのＩＰアドレスをもって対象撮像装置に接続し、ライブ映像を取得して、自機の表示部に映像を表示するものである。
【００２８】
乗務員が表示装置Ｈ１、Ｈ２を用いて任意車両の撮像装置の記録映像を確認する場合は、「記録装置番号/名称」と「車両番号」や「撮像装置番号/名称」と「記録映像日時」や「イベント」などを指定して選択する。表示装置Ｈ１、Ｈ２は、指定された情報から管理装置Ｋが管理しているデータベースを用いて対象撮像装置のＩＰアドレスを照会し、そのＩＰアドレスをもって対象撮像装置に接続し、撮像装置内部に搭載する記録媒体に記録された映像データを取得して、自機の表示部に記録映像を表示するものである。また、撮像装置内部に搭載する記憶媒体は取り外し可能なＳＤカード等の形態をとっており、撮像装置から取り外した後、パソコン等に接続して記録映像を確認することも可能である。
【００２９】
また、図２は、本発明の一実施形態である撮像装置の構成の一例を示す説明図である。撮像装置は、撮像装置全体の動作を制御する制御部１１と、被写体の光を捉えて映像信号を出力するＣＣＤ（Charge Coupled Device）やＣＭＯＳ（Complementary Metal Oxide Semiconductor）などの撮像素子１２と、撮像素子１２から出力される映像信号に対し映像処理や各種変換を施す映像処理部１３と、ＳＤカード等の着脱可能な記録媒体を保持する記録部１４と、有線通信または無線通信による通信部１５を具備している。
【００３０】
撮像素子１２は撮像領域からの入射光を光電変換して映像信号を生成し、映像処理部１３に出力する。映像処理部１３では、制御部１１の指示により、映像信号に映像処理や各種変換処理を施し、記録部１４や通信部１５に映像データを出力する。記録部１４では、映像データを記録し、場合によっては、制御部１１の指示により映像データを通信部１５に出力する。通信部１５では、撮像装置の外部と通信し、映像データを伝送路の種類に即した形式に変換して送信したり、外部からの信号を受信する。
【００３１】
上述した様な構成の撮像装置およびこれを含む鉄道車両等に設けられた監視システムの一般的な記録処理について以下に述べる。図３は、本発明の一実施形態である各撮像装置の配置と視野の一例を説明する説明図、図４は、各撮像装置の各記録映像容量を示す説明図、図５は、撮像装置と記録装置が配置された鉄道車両内の構成を示す説明図、図６は、撮像装置における一車両単位での映像記録の状態を示す説明図、図７は、撮像装置における装置単位での映像記録の状態を示す説明図である。
【００３２】
図３に示す第１車両Ｔ１において、撮像装置１−１〜−３が車両内の状況を映像監視するとともに映像データを撮像装置内部に搭載する記録媒体に記録する場合を考察する。撮像装置１−１はドア２２が開閉したという情報を通知されることにより、ドア開閉時の映像を記録するよう運用する。同様に撮像装置１−２はドア２１が、撮像装置１−３はドア２３が開閉した情報を通知された時に映像を記録するものとする。ここで、ドアの開閉は、各ドアにセンサを設けてセンサから各撮像装置に通知する様にしても良いし、管理装置Ｋが各撮像装置にドアの開閉情報を通知する様にしても良いし、取得した映像からドアの開閉を検知する様にしても良い。撮像装置１−３は、客の乗降や車両間の人の移動による列車内のドア開閉状況に基づいて映像を記録するため、ドア２３の開閉される頻度および映像記録頻度が一番高いものとする。次いで、駅に着いた際に客の乗降のためにドア２２およびドア２３が開閉されるが、ドア２２の方が開閉される頻度および映像記録頻度が高く、ドア２１が開閉される頻度および映像記録頻度が一番低いものとする。
【００３３】
この様な状況下にて監視システムを運用すると、図４に示す様に、撮像装置内部に搭載する記憶媒体に記録される映像記録容量は、撮像装置１−１〜１−３の中では、（ｃ）の撮像装置１−３が最も早く記録媒体の最大記録容量に達することとなる。この様な状態になった場合は、通常、撮像装置から記録媒体を取り外して新たな記録媒体を挿入するか、または、管理センター等からの遠隔制御等により、撮像装置から記録映像データをダウンロードして記録媒体の記録データ量を空にする必要がある。
【００３４】
これに対しては、図５に示す様に、第１車両Ｔ１〜第４車両Ｔ４のそれぞれに記録装置を設けたり、例えば先頭車両に記録装置を設けたりすることで、撮像装置内部に搭載する記録媒体容量が少ないことによる記録時間が短いという問題は解決することができる。しかし、列車内という限られたスペースにおいては記録装置を別途設置することが容易にできない場合があり、また、システム導入コストが高価になってしまうという問題がある。
【００３５】
撮像装置内部に搭載する記録媒体はＳＤカード等の記録媒体であるが、それらの容量としては数ＭＢ〜３２ＧＢというものが、現在一般的である。そのため、１つの記録媒体につき、２〜３フレーム／秒にて常時記録し、３〜４日間分の記録映像を保存できる程度である。この場合は、３〜４日間に一度という高頻度で、記録媒体の交換やデータの抜き取りの手間がかかる。
【００３６】
また、１〜２フレーム／秒という、フレームレートを下げた状態で映像を記録すれば、４〜５日間程度は記録映像を撮像装置内部に保管しておけるが、車両内で何か異常が発生した際の記録映像を確認しようと思っても、低フレームレートであるために肝心の映像が記録できていないということがある。
【００３７】
そのための記録方式として、イベント（アラーム）記録方式というものがある。例えば、撮像装置は、通常時は低フレームレートで撮像しておき、ドアが開閉したという情報を通知されることにより、その時のみ高フレームレートで映像記録する。この方式を用いれば、人物等の出入りがあった時の事象等の、イベントのあった時のみ映像を記録し、何も変化が無い場合には映像を記録しないという様に、限られた記録容量を効率的に使用して記録できる
【００３８】
しかしながら、このイベント（アラーム）記録方式においても、図４で示した様に、イベント（アラーム）記録される映像データの記録量は撮像装置毎にばらつきはあるため、依然として、撮像装置毎に異なるインターバルにて、記録媒体の交換やデータの抜き取りにより映像データを確認することが必要である。以下の説明では、この記録媒体の交換やデータの抜き取りにより映像データを確認する間隔を、「確認インターバル」と呼ぶことにする。
【００３９】
本発明の一実施形態では、この『確認インターバル』をいかに最適化するかがポイントとなる。
まず、確認インターバルを『車両単位』とする場合が考えられる。図６に示す様に、最も記録量の多い撮像装置（この場合は撮像装置１−３）の確認インターバルに合わせて、全ての撮像装置の記録媒体の交換やデータの抜き取りにより映像データを確認する。
【００４０】
この『車両単位』または『編成単位』の確認インターバルは、上述した複数の撮像装置の一つが、自機の撮像装置の記録部の記録量および同一車両の他の撮像装置の記録量をモニタリングし管理して、または管理装置Ｋが全車両の撮像装置の記録量をモニタリングし管理して、最も記録量が多い撮像装置のインターバルを『車両単位の確認インターバル』または『編成単位の確認インターバル』と決定して、例えば、管理装置Ｋの制御により、車両装置９からネットワーク等を介して記録媒体の交換または映像データのダウンロードのタイミングを管理センター等に通知することで実現する。
【００４１】
この方式は、『確認インターバル』を定めやすく、また、一括して記録媒体の交換または映像データのダウンロードができるので、作業員の手間が少なく済む。しかしながら、その一方、例えば、使用頻度の低い撮像装置１−２の記録媒体は効率よく使用されているとは言い難い。
【００４２】
次に、確認インターバルを『撮像装置単位』とする場合が考えられる。図７に示す様に、撮像装置の、それぞれ個別の確認インターバルでの撮像装置の記録媒体の交換やデータの抜き取りにより映像データを確認する。  
【００４３】
この『撮像装置単位』の確認インターバルは、複数の撮像装置の各制御部１１が、自機の記録部１４の記録量をモニタリングし管理して、例えば、管理装置Ｋを経由して車両装置９からネットワーク等を介して記録媒体の交換または映像データのダウンロードのタイミングを管理センター等に通知することで実現する。
【００４４】
この撮像装置単位の運用方式では、上述した『車両単位の確認インターバル』および『編成単位の確認インターバル』よりも効率的に記録容量を使用することができる。しかしながら、一方で、場合によっては毎日いずれかの撮像装置から記録媒体を取り外すか、または、撮像装置から記録映像データをダウンロードして映像データを確認する必要が生じるため、作業員の手間は少なくはない。
【００４５】
次に、本発明の実施形態である撮像装置間で記録容量を共有する際に、『最適な確認インターバル』となる様に各撮像装置の記録領域の使用方法（以降、記録予定）を求める場合が考えられる。図８〜１２に示す様に、複数の撮像装置の間で、容量に余裕がある撮像装置の記録領域を、容量に余裕が無くなった撮像装置の記録領域として活用することで、複数の撮像装置をトータルで見た際に記録容量を有効に活用することができる。これらの図を用いて以下に詳細に説明する。なお、『最適な確認インターバル』とするために、本実施形態では、各撮像装置の今までの各平均記録量または現在の記録量に基づいて、どの撮像装置の取得映像をどの撮像装置の記録媒体にどれだけ送信すれば、トータルで最も効率的に記録容量を使用でき、記録媒体の交換または映像データのダウンロードのインターバルを長く且つ同タイミングにできるかという記録予定を算出する。
【００４６】
本実施形態においては、図１１および図１２に示す様に、撮像装置１−３は、列車内のドア２３の開閉情報等のイベントを検出またはイベント情報を受信すると（ステップＳ１１）、撮像装置１−３の記録部１４の記録容量に余裕があるかないかを確認する。余裕がある場合にはそのまま記録を継続し、余裕がない場合には、通信部１５からネットワーク上に存在する通信可能な他の撮像装置１−１、１−２に対して、各々の撮像装置内部の記録媒体の記録状況（記録量および／または空き容量）を確認させるコマンドを送信する（ステップＳ１２）。
【００４７】
本コマンドを受信した撮像装置１−１、１−２は、自機の記録媒体の使用量、空き容量、記録開始日時等の情報を撮像装置１−３に対して返信する（ステップＳ１３，Ｓ１４）。撮像装置１−３は、受信した情報に基づき、各々の撮像装置状態を分析し、記録予定を算出して各撮像装置に対する記録予約領域を求め、送信して記録してもらう撮像装置の順番（優先順位）を決定し、対象となる撮像装置１−１、１−２に対して、記録予約領域を確保させるコマンドを送信する（ステップＳ１５）。ここでの分析と記録予定の算出方法についての詳細は後述する。ここで、記録予約領域とは、記録容量が足りなくなった撮像装置が取得した超過分の映像を他の撮像装置に送信して記録してもらうために、他の撮像装置の記録媒体に設定する記録領域のことである。
【００４８】
コマンドを受信した撮像装置１−１，１−２はそれぞれ、撮像装置１−３の超過分の映像を記録するために使用する記録媒体の記録領域の一部（図８におけるＡ，Ｂ）に対して、記録予約領域を設定し、設定した旨の情報を撮像装置１−３に対して送信する（ステップＳ１６，１７）。
【００４９】
次に、撮像装置１−３は、再び列車内のドア２３開閉のイベントを検出またはイベント情報を受信すると（ステップＳ１８）、優先順位に基づいて、最も優先順位の高い撮像装置１−２に対して、取得した映像データと映像データを記録予約領域Ｂに記録させるコマンドを送信する（ステップＳ１９）。撮像装置１−２は、撮像装置１−３から映像データとコマンドを受信すると、撮像装置１−３からの映像データを自機の記録媒体に設定した記録予約領域Ｂに記録し、記録後の空き容量を確認して、映像データの記録が正常に完了したことを撮像装置１−３に返信する（ステップＳ２０）。このとき、撮像装置１−２は、ドア２１の開閉等のイベント情報に基づいて、自機の取得した映像データを自機の記録媒体に記録している。
なお、この時の映像データの送信処理または以降に記載する映像データの送信処理は、撮像装置素子１２から映像処理部１３を経由してそのまま通信部１５を介して送信してもよいし、撮像装置素子１２からの映像データを記録部１４にいったん記録し、その後、読み出して送信してもよい。
【００５０】
これらステップＳ１８からステップＳ２０までの撮像装置１−３が取得した映像データを他の撮像装置１−２に送信して代わりに記録してもらう処理は、撮像装置１−２の記録予約領域が満杯になるまで継続される。図１２に示す様に、イベント通知Ｓ２１および、Ｓ２２と同様の映像データ送信処理の後、映像データおよびコマンドを受信した撮像装置１−２は、自機の記録予約領域に受信した映像データを記録し、記録予約領域の空き容量を確認し、無しまたは少ないと判断すると、空き容量が無しまたは少ないことを映像データの記録が正常に完了したことと共に撮像装置１−３に通知する（ステップＳ２３）。このときの状態が図９に示してある。この通知に基づき、撮像装置１−３は、映像データ送信先である撮像装置を先のステップ１５で決定した優先順位に従って、次に優先順位の高い撮像装置１−１に変更する（ステップＳ２４）。
【００５１】
再び列車内のドア２３開閉のイベントを検出またはイベント情報を受信すると（ステップＳ２５）、優先順位に基づいて、２番目に優先順位の高い撮像装置１−１に対して、取
得した映像データと映像データを記録予約領域Ａに記録させるコマンドを送信する（ステップＳ２６）。撮像装置１−１は、撮像装置１−３から映像データとコマンドを受信すると、撮像装置１−３からの映像データを自機の記録媒体に設定した記録予約領域Ａに記録し、記録後の空き容量を確認して、映像データの記録が正常に完了したことを撮像装置１−３に返信する（ステップＳ２７）。このとき、撮像装置１−１は、ドア２２の開閉等のイベント情報基づいて、自機の取得した映像データを自機の記録媒体に記録している。
【００５２】
これらステップＳ２５からステップＳ２７までの撮像装置１−３が取得した映像データを他の撮像装置１−１に送信して代わりに記録してもらう処理は、上述の撮像装置１−２の場合と同様に、撮像装置１−１の記録予約領域が満杯になるまで継続される。これらの動作が繰り返される中で、撮像装置１−１は、記録予約領域の空き容量を確認し、無しまたは少ないと判断すると、空き容量が無しまたは少ないことを映像データの記録が正常に完了したことと共に撮像装置１−３に通知する。このときの状態が図１０に示してある。この通知に基づき、撮像装置１−３は、映像データ送信先である撮像装置を先のステップ１５で決定した優先順位に従って、次に優先順位の高い撮像装置に変更する。
【００５３】
そしてまた、これらの処理が繰り返され、全ての撮像装置の記録媒体の記録容量が満杯になったときに、管理センター等に対して交換または映像データのダウンロードが必要である旨が通知される。好ましくは、全ての撮像装置の記録媒体の記録容量が満杯になる前に、いつ頃満杯になるかという情報も付加して、管理センター等に対して交換または映像データのダウンロードが必要である旨が通知される。
【００５４】
ここで、ステップＳ１５における各々の撮像装置の状態の分析と記録予定の算出方法について、図８を用いて詳細に説明する。
まず、記録媒体に記録されていた記録開始日時および記録量から、対象撮像装置の平均記録量を算出し、記録媒体の空き容量がより多く平均記録量がより少ない撮像装置から順に優先順位を設定していく。そして、各撮像装置の記憶媒体の空き容量および各撮像装置の平均記録量から記録予定を算出する。
【００５５】
なお、これは、その時の記録媒体に記録されている内容（記録開始日や使用量）から求めても良いし、今までの記録してきた内容から統計的に求めても良い。好ましくは、システム導入の日からまたは導入からある程度のサンプルが入手できたら、日々または確認インターバルごとに、記録された内容に基づいて平均記録量を更新すると良い。
【００５６】
すなわち、『最適な確認インターバル』とするために記録予定は、図８の下部にも示す様に、
（撮像装置１−１の記録空き容量−撮像装置１−３の記録予約容量）／撮像装置１−１の平均記録量
と、
（撮像装置１−２の記録空き容量−撮像装置１−３の記録予約容量）／撮像装置１−２の平均記録量
と、
（撮像装置１−１内に確保した撮像装置１−３の記録予約容量＋撮像装置１−２内に確保した撮像装置１−３の記録予約容量）／撮像装置１−３の平均記録量
の、これら３つの値がほぼ等しい値となる様な記録予定を、代数演算により求める。
【００５７】
ここで、『撮像装置１−１の記録空き容量−撮像装置１−３の記録予約容量』をＣ、『撮像装置１−２の記録空き容量−撮像装置１−３の記録予約容量』をＤ、『撮像装置１−１内に確保した撮像装置１−３の記録予約容量』をＡ、『撮像装置１−２内に確保した撮像装置１−３の記録予約容量』をＢとすると、この式は、  
Ｃ／（撮像装置１−１の平均記録量）≒  
Ｄ／（撮像装置１−２の平均記録量）≒  
Ａ＋Ｂ／（撮像装置１−３の平均記録量）  
の様に簡略化して表現できる。
【００５８】
この様に第１実施形態では、上述した式に基づいて『最適な確認インターバル』とするための記録予定を求め、この記録予定に基づいて送信処理を実行することで、最も効率良く監視映像記録システムを運用することができる。
なお、本実施形態では、記録容量が最も早く足りなくなった撮像装置１−３が記録予定を求めて決定したが、他に、予めグループ毎に親となる撮像装置を設定しておき、親となる撮像装置が他の撮像装置の記録状態を監視したり記録予定を求めたりする様にしても良い。
【００５９】
（第２実施形態）
第２実施形態は、先に第１実施形態において映像データを他の撮像装置に送信する際に、送信する対象の撮像装置をどの範囲に設定するか、言い換えれば、どういった撮像装置の纏まりで記録領域を共有（記録予約領域を設定）するか、ということを目的とする。すなわち、全車両の撮像装置は全て送信の対象とするのか、同一車両に存在する撮像装置だけを対象とするか、複数の車両分の撮像装置を対象とするか、または、何かの条件（例えば、各車両の同じ位置に設置された撮像装置をグループとする等）に基づいた撮像装置の纏まりを対象とするか、ということを決定する。ここで設定された撮像装置の纏まり（グループ）ごとに、それぞれ記録予定を求めて運用する。
【００６０】
ここでは、車両単位で撮像装置のグループを設定する場合を例に挙げて説明する。以降、この撮像装置のグループを設定する処理を「グルーピング」と称する。
【００６１】
このグルーピングは、撮像装置本体を操作することで設定してもよく、また、撮像装置にノートパソコン等を接続して、ノートパソコンの操作画面において設定しても良く、管理装置および表示装置を利用して設定しても良く、また、管理センター等から車両装置を介して設定しても良い。
【００６２】
なお、ここでは、乗務員が表示装置Ｈ１を介して管理装置Ｋを操作することにより、例えば、図１３に示す操作画面を表示させてグルーピングを行う。
表示装置Ｈ１の画面に、図１３の（ａ）に示す様にＩＰアドレスを伴った編成車両に設置されている撮像装置のリストを表示し、操作に応じて、撮像装置１−１〜４−４から、所望のグループに撮像装置を振り分ける様に設定する。複数のグループにグルーピングされると、図１３の（ｂ）に示す様にＩＰアドレスを伴った撮像装置のリストを表示する。ここでは撮像装置を車両ごとにグループ分けする。この設定は、管理装置Ｋが管理情報として記憶し、各撮像装置にグループの情報を送信する。これに基づき、各撮像装置は実施形態１で記載した記録予定を算出して実行する。
【００６３】
また、撮像装置に予めグルーピングのルール（例えば同一車両に存在する撮像装置をグループとする等）を設定しておくことで、操作者による操作を不要とし、手間を省くことができる。
また、管理装置Ｋが自動的に理想的なグループ分け（最も記録容量を効率的に使用できる撮像装置の組み合わせ）をする様にしても良い。この場合、これまでに収集してきた各撮像装置の平均記録量の比率に基づいて、平均記録量の割合がそれぞれ均等になる様に撮像装置のグループを設定し、予め記録予約領域を設定しておく。これにより、操作者の手間を省くことができ、より効率的に記録容量を使用することができる。
【００６４】
（第３実施形態）
上述した実施形態においては、主に撮像装置がグルーピングに基づいて記録予定と優先順位を求めていたが、本実施形態では、管理装置Ｋが記録予定を求めて全体を管理する。すなわち、実施形態１で撮像装置が他の撮像装置に対して空き容量を確認して記録予約領域を設定し優先順位を決定する処理を、管理装置Ｋが実行する。図１を用いて以下に詳細に説明するが、構成としては上述した実施形態と同様であるため省略する。管理装置Ｋと各装置が通信する際にはスイッチ部Ｗを介して信号がやり取りするが、それぞれ最初の１度だけスイッチを介することを説明し、その後はスイッチを介することは前提としてその説明は省略する。また、ここでは、第１車両の撮像装置１−１、第２車両の撮像装置２−２、第３車両の撮像装置３−３、第４車両の撮像装置４−４（第１グループとし、本実施形態ではこのグループを例に説明する）といった様に、各車両から１台ずつそれぞれ異なる位置に設置された撮像装置の纏まりでグルーピングされたこととする。また、記録量は撮像装置１−１、撮像装置２−２、撮像装置３−３、撮像装置４−４の順に多いものとする。
【００６５】
各撮像装置はドアの開閉情報に応じて撮像・記録動作を行っており、管理装置Ｋはそれぞれの撮像装置の記録状況を監視している。具体的には、第１グループの場合で説明すると、管理装置Ｋは記録量を確認して返信させるコマンドを、スイッチＷ１を介して撮像装置１−１、スイッチＷ１およびＷ２を介して撮像装置２−２、スイッチＷ１，Ｗ２およびＷ３を介して撮像装置３−３、スイッチＷ１，Ｗ２，Ｗ３およびＷ４を介して撮像装置４−４へ送信する。このコマンドを受信した各撮像装置は自機の現在の記録量を確認して管理装置Ｋへ記録状態情報を送信する。管理装置は、受信した各撮像装置の記録状況を更新する。
【００６６】
管理装置Ｋは、例えば、１番記録量の多い撮像装置の空き容量が半分や１／３になる等、ある程度空き容量が少なくなってきたところで、他の撮像装置の現在の空き容量とこれまでの各撮像装置の平均使用量に基づいて記録予定を求め、優先順位を決定し、対象となる撮像装置に対して記録予約領域を設定させる。そして、記録量の１番多い撮像装置の空き容量に余裕が無くなったタイミングで、優先順位に従って他の撮像装置に映像データを送信させる。ここで実施形態１の様に記録容量に余裕が無くなったタイミングで記録予定を算出しないのは、管理装置Ｋが全てのグループを管理しているためで、記録予定の算出のタイミングが重なって負荷が集中しない様にするためである。ただし、実施形態１の様に記録容量に余裕が無くなったタイミングで記録予定を算出する様にしても問題ない。
【００６７】
具体的には、管理装置Ｋは、各撮像装置の記録状態を監視する中で、撮像装置１−１の空き容量が少なくなってきたら、他の撮像装置の記録状況と平均使用量に基づいて記録予定を求め、優先順位を決定する。このとき、優先順位は、記録量の少ない撮像装置４−４、撮像装置３−３、撮像装置２−２の順となる。また、管理装置Ｋは、撮像装置４−４、撮像装置３−３、撮像装置２−２に対して、記録予約領域を設定する様にコマンドを送信し、撮像装置４−４、撮像装置３−３、撮像装置２−２はコマンドに従って自機の記録領域に記録予約領域を設定する。そして、撮像装置１−１の空き容量に余裕がなくなったら、管理装置Ｋは撮像装置１−１に対して、映像データを優先順位の１番高い撮像装置４−４に送信する様にコマンドを送信する。撮像装置１−１は、コマンドに従って撮像装置４−４に映像データを送信し、撮像装置４−４は自機の記録予約領域に受信した撮像装置１−１の映像データを記録する。
【００６８】
ここで、グループ内の空き容量がなくなる２台目、３台目撮像装置が出てくることが考えられる。その際には、できるだけ、既に空き容量の無くなった撮像装置が代替記録してもらっている撮像装置以外の撮像装置に対して記録予約領域を再設定して代替記録してもらう。
【００６９】
具体的には、さらに撮像装置２−２の空き容量が少なくなってきたら、さらに他の撮像装置の記録状況と平均使用量に基づいて記録予定を求める。また、管理装置Ｋは、撮像装置３−３に対して、撮像装置１−１用の記録予約領域を平均使用量などに基づいて削除または縮小して撮像装置２−２用の記録予約領域を設定する様にコマンドを送信し、撮像装置３−３はコマンドに従って自機の記録領域に記録予約領域を設定し直す。そして、撮像装置２−２の空き容量に余裕がなくなったら、管理装置Ｋは撮像装置２−２に対して、映像データを撮像装置３−３に送信する様にコマンドを送信する。撮像装置２−２は、コマンドに従って撮像装置３−３に映像データを送信し、撮像装置３−３は自機の記録予約領域に受信した撮像装置２−２の映像データを記録する。このとき、撮像装置４−４は撮像装置１−１の映像データを代替して記録しているため、撮像装置２−２の映像データを代替して記録する対象とはしないが、グループ内の撮像装置の数が多くて他に代替して記録可能な撮像装置がある場合には、記録予約領域を設定し、優先順位を再度決定する。
【００７０】
自機の映像データ記録、他機の映像データ代替記録を継続し、撮像装置４−４に設定された撮像装置１−１の記録予約領域が満杯になると、管理装置Ｋは、撮像装置３−３に縮小されて設定し直された撮像装置１−１用の記録予約領域に記録させるために、撮像装置１−１に対して撮像装置３−３に映像データを送信する様にコマンドを送信する。撮像装置３−３は、撮像装置２−２から送信されてきた映像データを撮像装置２−２用の記録予約領域に記録すると共に、コマンドに従って撮像装置１−１から送信されてきた映像データを撮像装置１−１用の記録予約領域に記録する。
【００７１】
そして、全ての撮像装置の記録媒体の記録容量が満杯になったときに、管理センター等に対して交換または映像データのダウンロードが必要である旨が通知される。好ましくは、全ての撮像装置の記録媒体の記録容量が満杯になる前に、いつ頃満杯になるかという情報も付加して、管理センター等に対して交換または映像データのダウンロードが必要である旨が通知され、列車が運行しない夜間等に、記録媒体の交換や映像データの抜き取りが行われる。
【００７２】
これにより、管理装置が一括して全ての撮像装置の記録状態と記録予定等を管理・制御することで、監視システムの管理・運用が容易になり、システム全体として効率的に運用することができる。
【００７３】
しかし、万が一、列車の運行中等の記録媒体の交換や映像データの抜き取りができないときに、グループ内または全ての撮像装置の記録容量が満杯になってしまうことが考えられる。その様な場合は、前者であれば他のグループの空き容量をチェックして、空いていればそちらの撮像装置に、後者であれば超過分を管理装置Ｋに設けられたＨＤＤ（Hard Disk Drive）やＳＳＤ（Solid State Drive）等の記録媒体や別途設けられた記録装置に記録する。
【００７４】
グループ内の撮像装置の記録容量が満杯になった場合、具体的には、管理装置Ｋは全てのグループ、撮像装置の記録状態を監視し管理しているため、他のグループに空き容量があり記録予約領域がそれほど埋まっていない撮像装置がないか探索し、あった場合には、その撮像装置に記録予約領域を設定し直し、超過分の映像データをその撮像装置に対して送信する様に制御する。他のグループに空き容量があり記録予約領域がそれほど埋まっていない撮像装置がなく、全ての撮像装置の記録容量が満杯になってしまった場合、別途設けられた記録装置または管理装置Ｋの記録媒体に超過分の映像データの記録予約領域を設定し、各カメラに対して記録装置または管理装置Ｋの記録媒体に映像データを送信する様にコマンドを送信する。各カメラはコマンドに従って映像データを記録装置または管理装置Ｋに送信し、記録装置または管理装置Ｋは自機の記録予約領域に各映像データを記録する。
【００７５】
これにより、万が一、列車の運行中等の記録媒体の交換や映像データの抜き取りができないときに、グループ内または全ての撮像装置の記録容量が満杯になってしまった場合でも、映像データの記録を継続することができ、監視動作を維持することができる。
【００７６】
さらに、本発明によると、記録媒体の交換や映像データの抜き取りおよび確認作業の回数を低減することができ、監視システム運用の手間を低減することができる。
【００７７】
また、撮像装置は、イベントを検知すると記録の際の映像データの圧縮率を低くする、イベントの検出がなければ映像データの圧縮率を高くすることも可能であり、これにより映像データ量が低減でき、ひいては確認インターバルを長期化することができる。
【００７８】
また、イベントは、上述したドア開閉だけに限定されず、ドア開閉の他に、例えば、被写体の顔検出、火災検知、非常通報ボタンの押下等としても良い。
【００７９】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００８０】
１−１〜４−４…撮像装置、Ｈ１，Ｈ２…表示装置、Ｋ…管理装置、Ｗ１〜Ｗ４…スイッチ部、１１…制御部、１２…撮像素子、１３…映像処理部、１４…記録部、１５…通信部。
【図１】
0005809830.tif 000002
【図２】
0005809830.tif 000003
【図３】
0005809830.tif 000004
【図４】
0005809830.tif 000005
【図５】
0005809830.tif 000006
【図６】
0005809830.tif 000007
【図７】
0005809830.tif 000008
【図８】
0005809830.tif 000009
【図９】
0005809830.tif 000010
【図１０】
0005809830.tif 000011
【図１１】
0005809830.tif 000012
【図１２】
0005809830.tif 000013
【図１３】
0005809830.tif 000014